(57)【要約】　　　（修正有）【課題】無線通信システムを用いて静止状態の移動車両にアクセスする方法を提供する。【解決手段】車両通信装置の少なくとも１つの伝送電力パラメータを決定する手段が提供される。該伝送電力パラメータに基づいて、少なくとも１つの覚醒持続期間値を計算する手段と、該醒持続期間値に基づいて車両通信装置を覚醒状態に置く手段ばかりでなく、該伝送電力パラメータに基づいて少なくとも１つの休止持続期間値を計算する手段も提供される。車両通信装置は該休止持続期間値に基づいて静止状態に置かれる。本方法を用いるプログラム及びシステムも提供される。【選択図】　図２
2004007513.tif 000002
【特許請求の範囲】
【請求項１】
無線通信システムを用いて静止状態の移動車両にアクセスする方法であって、
車両通信装置の少なくとも１つの伝送電力パラメータを決定する工程と、
前記伝送電力パラメータに基づいて、少なくとも１つの休止持続期間値を計算する工程と、
前記休止持続期間値に基づいて、前記車両通信装置を静止状態に置く工程と、を含む方法。
【請求項２】
請求項１記載の方法であって、更に、
前記伝送電力パラメータに基づいて少なくとも１つの覚醒持続期間値を計算する工程と、
前記覚醒持続期間値に基づいて、前記車両通信装置を覚醒状態に置く工程と、を含む方法。
【請求項３】
請求項１記載の方法であって、更に、
前記伝送電力パラメータに基づいて少なくとも１つの休止サイクル持続期間値を計算する工程と、
前記車両通信装置を前記休止サイクル持続期間値に対する休止サイクルに置く工程と、
を含む方法。
【請求項４】
請求項３記載の方法であって、更に、前記休止サイクルが連続的であるか否かを決定する工程を含む方法。
【請求項５】
請求項１記載の方法であって、更に、
前記伝送電力パラメータに基づいて少なくとも１つの電源断・遅延期間値を計算する工程と、
前記電源断・遅延期間の経過後に、前記車両通信装置を休止サイクルに置く工程と、
を含む方法。
【請求項６】
請求項１記載の方法であって、更に、少なくとも１つの登録パラメータを決定する工程を含む方法。
【請求項７】
請求項６記載の方法であって、更に、前記登録パラメータに基づいて、少なくとも１つの休止持続期間値を計算する工程を含む方法。
【請求項８】
請求項６記載の方法であって、更に、
前記登録パラメータに基づいて少なくとも１つの覚醒持続期間値を計算する工程と、
前記覚醒持続期間値に基づいて、前記車両通信装置を覚醒状態に置く工程と、を含む方法。
【請求項９】
請求項６記載の方法であって、更に、
前記登録パラメータに基づいて少なくとも１つの休止サイクル持続期間値を計算する工程と、
前記車両通信装置を前記休止サイクル持続期間値に対する休止サイクルに置く工程と、
を含む方法。
【請求項１０】
請求項６記載の方法であって、更に、
前記登録パラメータに基づいて少なくとも１つの電源断・遅延期間値を計算する工程と、
前記電源断・遅延期間の経過後に、前記車両通信装置を休止サイクルに置く工程と、
を含む方法。
【請求項１１】
請求項１記載の方法であって、更に、少なくとも１つのネットワーク・パラメータを決定する工程を含む方法。
【請求項１２】
請求項１１記載の方法であって、更に、前記ネットワーク・パラメータに基づいて、少なくとも１つの休止持続期間値を計算する工程を含む方法。
【請求項１３】
請求項１１記載の方法であって、更に、
前記ネットワーク・パラメータに基づいて少なくとも１つの覚醒持続期間を計算する工程と、
前記覚醒持続期間値に基づいて、前記車両通信装置を覚醒状態に置く工程と、を含む方法。
【請求項１４】
請求項１１記載の方法であって、更に、
前記ネットワーク・パラメータに基づいて、少なくとも１つの休止サイクル持続期間値を計算する工程と、
前記車両通信装置を前記休止サイクル持続期間値に対する休止サイクルに置く工程と、
を含む方法。
【請求項１５】
請求項１１記載の方法であって、更に、
前記ネットワーク・パラメータに基づいて、少なくとも１つの電源断・遅延期間値を計算する工程と、
前記電源断・遅延期間の経過後に、前記車両通信装置を休止サイクルに置く工程と、
を含む方法。
【請求項１６】
コンピュータ利用可能な媒体における、無線通信システムを用いて移動車両にアクセスするための、コンピュータ・プログラム製品であって、
車両通信装置の少なくとも１つの伝送電力パラメータを決定する手段と、
前記伝送電力パラメータに基づいて、少なくとも１つの休止持続期間値を計算する手段と、
前記休止持続期間値に基づいて、前記車両通信装置を静止状態に置く手段と、を備えた製品。
【請求項１７】
請求項１６記載の製品であって、更に、
前記伝送電力パラメータに基づいて少なくとも１つの覚醒持続期間値を計算する手段と、
前記覚醒持続期間値に基づいて、前記車両通信装置を覚醒状態に置く手段と、を備えた製品。
【請求項１８】
請求項１６記載の製品であって、更に、
前記伝送電力パラメータに基づいて少なくとも１つの休止サイクル持続期間値を計算する手段と、
前記車両通信装置を前記休止サイクル持続期間値に対する休止サイクルに置く手段と、
を備えた製品。
【請求項１９】
請求項１８記載の製品であって、更に、前記休止サイクルが連続的であるか否かを決定する手段を含む製品。
【請求項２０】
請求項１６記載の製品であって、更に、
前記伝送電力パラメータに基づいて少なくとも１つの電源断・遅延期間値を計算する手段と、
前記電源断・遅延期間の経過後に、前記車両通信装置を休止サイクルに置く手段と、
を備えた製品。
【請求項２１】
請求項１６記載の製品であって、更に、少なくとも１つの登録パラメータを決定する手段を含む製品。
【請求項２２】
請求項２１記載の製品であって、更に、前記登録パラメータに基づいて、少なくとも１つの休止持続期間値を計算する手段を含む製品。
【請求項２３】
請求項２１記載の製品であって、更に、
前記登録パラメータに基づいて、少なくとも１つの覚醒持続期間値を計算する手段と、
前記覚醒持続期間値に基づいて前記車両通信装置を覚醒状態に置く手段と、
を備えた製品。
【請求項２４】
請求項２１記載の製品であって、更に、
前記登録パラメータに基づいて、少なくとも１つの休止サイクル持続期間値を計算する手段と、
前記車両通信装置を前記休止サイクル持続期間値に対する休止サイクルに置く手段と、
を備えた製品。
【請求項２５】
請求項２１記載の製品であって、更に、
前記登録パラメータに基づいて、少なくとも１つの電源断・遅延期間値を計算する手段と、
前記電源断・遅延期間経過後に、前記車両通信装置を休止サイクルに置く手段と、
を備えた製品。
【請求項２６】
請求項１６記載の製品であって、更に、少なくとも１つのネットワーク・パラメータを決定する手段を備えた製品。
【請求項２７】
請求項２６記載の製品であって、更に、前記ネットワーク・パラメータに基づいて、少なくとも１つの休止持続期間値を計算する手段を備えた製品。
【請求項２８】
請求項２６記載の製品であって、更に、
前記ネットワーク・パラメータに基づいて、少なくとも１つの覚醒持続期間値を計算する手段と、
前記覚醒持続期間値に基づいて、前記車両通信装置を覚醒状態に置く手段と、を備えた製品。
【請求項２９】
請求項２６記載の製品であって、更に、
前記ネットワーク・パラメータに基づいて、少なくとも１つの休止サイクル持続期間値を計算する手段と、
前記車両通信装置を前記休止サイクル持続期間値に対する休止サイクルに置く手段と、
を備えた製品。
【請求項３０】
請求項２６記載の製品であって、更に、
前記ネットワーク・パラメータに基づいて、少なくとも１つの電源断・遅延期間値を計算する手段と、
前記電源断・遅延期間の経過後、前記車両通信装置を休止サイクルに置く手段と、
を備えた製品。
【請求項３１】
移動車両アクセス・システムであって、
車両通信装置の少なくとも１つの伝送電力パラメータを決定する手段と、
前記伝送電力パラメータに基づいて、少なくとも１つの休止持続期間値を計算する手段と、
前記休止持続期間値に基づいて、前記車両通信装置を静止状態に置く手段と、
前記伝送電力パラメータに基づいて、少なくとも１つの覚醒持続期間値を計算する手段と、
前記覚醒持続期間値に基づいて、前記車両通信装置を覚醒状態に置く手段と、
前記伝送電力パラメータに基づいて、少なくとも１つの休止サイクル持続期間値を計算する手段と、
前記車両通信装置を前記休止サイクル持続期間値に対する休止サイクルに置く手段と、
を備えたシステム。
【請求項３２】
請求項３１記載のシステムであって、更に、前記休止サイクルが連続的であるか否かを決定する手段を備えたシステム。
【請求項３３】
請求項３１記載のシステムであって、更に、
前記伝送電力パラメータに基づいて、少なくとも１つの電源断・遅延期間値を計算する手段と、
前記電源断・遅延期間の経過後に、前記車両通信装置を休止サイクルに置く手段と、
を備えたシステム。
【請求項３４】
請求項３１記載のシステムであって、更に、
少なくとも１つの登録パラメータを決定する手段と、
前記登録パラメータに基づいて、少なくとも１つの休止持続期間値を計算する手段と、
前記登録パラメータに基づいて、少なくとも１つの覚醒持続期間値を計算する手段と、
前記覚醒持続期間値に基づいて、前記車両通信装置を覚醒状態に置く手段と、
前記登録パラメータに基づいて、少なくとも１つの休止サイクル持続期間値を計算する手段と、
前記車両通信装置を前記休止サイクル持続期間値に対する休止サイクルに置く手段と、
を備えたシステム。
【請求項３５】
請求項３４記載のシステムであって、更に、
前記登録パラメータに基づいて、少なくとも１つの電源断・遅延期間値を計算する手段と、
前記電源断・遅延期間の経過後に、前記車両通信装置を休止サイクルに置く手段と、
を備えたシステム。
【請求項３６】
請求項３１記載のシステムであって、更に、
少なくとも１つのネットワーク・パラメータを決定する手段と、
前記ネットワーク・パラメータに基づいて、少なくとも１つの休止持続期間値を計算する手段と、
前記ネットワーク・パラメータに基づいて、少なくとも１つの覚醒持続期間値を計算する手段と、
前記覚醒持続期間値に基づいて、前記車両通信装置を覚醒状態に置く手段と、
前記ネットワーク・パラメータに基づいて、少なくとも１つの休止サイクル持続期間値を計算する手段と、
前記車両通信装置を前記休止サイクル持続期間値に対する休止サイクルに置く手段と、
を備えたシステム。
【請求項３７】
請求項３６記載のシステムであって、更に、
前記ネットワーク・パラメータに基づいて、少なくとも１つの電源断・遅延期間値を計算する手段と、
前記電源断・遅延期間の経過後に、前記車両通信装置を休止サイクルに置く手段と、
を備えたシステム。
【発明の詳細な説明】
【０００１】
【発明の属する技術分野】
本発明は一般に、無線通信システム上のデータ伝送に関する。より厳密には、本発明は静止状態の（ｑｕｉｅｓｃｅｎｔ）移動車両において不連続受信休止サイクル（ｄｉｓｃｏｎｔｉｎｕｏｕｓ　　ｒｅｃｅｉｖｅ　Ｓｌｅｅｐ　　ｃｙｃｌｅ）中に用いられる値を動的に決定するための方法およびシステムに関する。
【０００２】
【従来の技術】
近年、ナビゲーションやロードサイド・アシスタンスのような移動車両に対する無線通信サービスが急激に増加している。提供されているサービスの大半は、動作中の移動車両に対するものであるが、より最近では、電源スイッチが切られた車両へのサービスの需要または可能性が増加してきている。車両がオフの状態にあり、又は静止モードに入っている間に要求され得るサービスには、保守及び診断的な機能、システムのアップデート、車両位置決定、ドアの開錠、又は車両警告の消音が含まれ得る。
【０００３】
通常、移動車両はオフの状態のとき、電源断・不連続受信（ｐｏｗｅｒｅｄ−ｄｏｗｎ　ｄｉｓｃｏｎｔｉｎｕｏｕｓ−ｒｅｃｅｉｖｅ）（ＤＲｘ）サイクルに入れられる。相互に及び車両と通信中の通信装置及びテレマティクス・ユニットもまた、バッテリの電力消耗を最小化するため、同様のＤＲｘサイクルに置かれ得る。要求された機能をイグニッションがオフである期間に実行するため、車両が覚醒され、要求された機能が実行され、その後車両はＤＲｘサイクルへと戻され得る。
【０００４】
現在利用されている方法のひとつは、テレマティクス又はサービス・コール・センタから入ってくるコールとＤＲｘサイクルの覚醒（ｗａｋｅ−ｕｐ）時間とを同期させる方法である。車両が覚醒されている場合、コールは適切に受信され応答され得る。車両が動かされたり運転されたりしなかった場合には、覚醒操作の時間間隔は、１０分から数日又はそれ以上まで様々になり得る。コール・センタからのコールと覚醒機能とを同調させるには、コール・センタ側の時刻が移動車両側の時刻と同期している必要がある。移動車両内の全世界測位システム（ＧＰＳ）ユニットは、正確な時刻示数を供給する。コールが受信され車両が応答した後、車両は、バッテリ消耗を最小化させるよう、予め決められた時間の後に再びＤＲｘサイクルに戻され得る。ＤＲｘサイクルは例えば、車両がコール・センタと通信し得る覚醒持続期間（ａｗａｋｅ　　ｄｕｒａｔｉｏｎ）と、車両が休止状態であるが覚醒されることは可能な休止持続期間（ｓｌｅｅｐ　　ｄｕｒａｔｉｏｎ）とを含み得る。このＤＲｘサイクルは所定の時間にわたって持続し得る。
【０００５】
残念ながら、規定の休止期間の持続期間及び規定の覚醒スケジュールに対して調整された規定のＤＲｘサイクルは、必ずしも常にユーザまたはサービス加入者の要求に合致してはいない。例えば、空港に長期間駐車されている車両は、そのＤＲｘサイクルに割り当てられた期間を超過する期間にわたりオフの状態を続け得る（例えば、車両が三日間のサイクルを利用するように設定されており、四日間オフの状態のままであるような場合）。この場合、加入者が自らの車両に到着してすぐにテレマティック・アシスタンスを要求すること（例えば、四日目に加入者が戻ってきて鍵が車両の中に入ったままロックされていることに気づき、車両を開錠するためにテレマティック・アシスタンスを必要とすること）が難しくなる。別の例としては、車両はＤＲｘサイクルに早く入りすぎてしまう（例えば、車両が、イグニッションがオフになるとすぐにサイクルに入るように設定されている場合）。この場合、加入者が自動車をオフにしたときにテレマティック・アシスタンスが必要であることに気がつくと、ＤＲｘサイクルが休止期間（ｓｌｅｅｐ　　ｉｎｔｅｒｖａｌ）から覚醒期間（ｗａｋｅｕｐ　ｉｎｔｅｒｖａｌ）に戻るまで待ってからアシスタンスを要求しなければならない。
【０００６】
加えて、車両は、覚醒されると、コールを送受信する前に地域の無線通信事業者に登録する必要があり得る。ある例では、サービス要求に応答するのに要する時間や、通信、サービス又は車両及び通信要求のためにソフトウェア・アップデートを受信するために必要な時間が、予め決められた覚醒持続期間を超過することがあり得る。別の状況では、コール・センタ又は無線サービス事業者へのコールの負荷が大きいため、コールが覚醒期間内に完了できないことがあり得る。従って、実際の又は予期された要求に応じて、覚醒の持続期間または覚醒と覚醒との間の期間を変更できることは有益になり得る。
【０００７】
車両が電源断にされ又はオフにされている時でも車両サービスが一層利用可能になるような方法が必要とされている。これにより、サービスに対する顧客満足が向上する結果になる。サービスの可用性の向上は、一般に、低電力消費を維持する必要により阻まれる。
【０００８】
改善された方法はまた、例えば、覚醒期間内に車両に複数回のコールを試みる必要を回避することにより、又は、多数の車両にコンタクトするためのコール試行パターンを互い違いに配置したり変更したりすることにより、コール・センタの緊張を和らげることができる。改善された方法はさらに、車両が覚醒期間内にサービス要求を完了するための時間の延長や、覚醒期間を初期化するために予め決められた時間を変更することを可能とする。１つの望ましい方法は、少ない電力消費を維持しながら、車両がサービス要求を受信し実行する能力を向上させる。
【０００９】
係属中の米国特許出願第　号（代理人ドケット番号　ＧＰ−３０１８６２）は、車両を不連続受信（ＤＲｘ）モード、例えば、イグニッションがオフの間に可能な限り長い時間、低電流状態にとどまりながら、車両が時として必要に応じてサービスを受信する「覚醒」状態に入ることができるモードに置く一つの方法を記述している。現在、この不連続受信の工程は、アナログのセルラー・ハードウェアにより実現されている。アナログのハードウェアでは、車両ユニットが「覚醒」期間に覚醒状態を維持することができる時間量が制限され得る。
【００１０】
従って、デジタルのセルラー及びＰＣＳ技術を利用してアナログ技術における電流消耗を改善する方法が求められている。さらに、ＤＲｘの動作を動的に制御するために多様なネットワーク・パラメータを用いる方法、特に、ＤＲｘサイクルのパラメータを１つ又はそれ以上の無線ネットワークのパラメータに関連づける方法が求められ得る。
【００１１】
【発明が解決しようとする課題】
従って本発明は、静止状態の車両がサービス要求を受信し実行する能力を改善する方法を提供すること、及び上記に記載された欠陥および障害を克服することを目的とする。
【００１２】
【課題を解決するための手段】
本発明の１つの態様は、無線通信システムを用いて静止状態の移動車両にアクセスする方法を提供する。車両通信装置の少なくとも１つの伝送電力パラメータが決定される。その伝送電力パラメータに基づいて、少なくとも１つの休止持続期間値が計算される。車両通信装置はその休止持続期間値に基づいて静止状態に置かれる。
【００１３】
伝送電力パラメータに基づいて覚醒持続期間値も計算され、車両通信装置はその覚醒持続期間値に基づいて覚醒状態に置かれ得る。代わりに、伝送電力パラメータに基づいて休止サイクル持続期間値が計算され、車両通信装置はその休止サイクル持続期間値に対する休止サイクルに置かれ得る。休止サイクルが連続的であるか否かが決定され得る。
【００１４】
伝送電力パラメータに基づいて電源断・遅延期間値（ｐｏｗｅｒ　　ｄｏｗｎ　　ｄｅｌａｙ　ｉｎｔｅｒｖａｌ　ｖａｌｕｅ）が計算され、車両通信装置は電源断・遅延期間経過後に休止サイクルに置かれ得る。
【００１５】
本発明のいくつかの実施の形態においては、登録パラメータが決定され得る。登録パラメータは休止持続期間値、覚醒持続期間値、休止サイクル持続期間値又は電源断・遅延期間値を決定するのに用いられ得る。車両通信装置は覚醒持続期間値に基づいて、覚醒状態に置かれ得る。車両通信装置は休止サイクル持続期間値の持続期間にわたり休止サイクルに置かれ得る。車両通信装置は電源断・遅延期間経過後に、休止サイクルに置かれ得る。
【００１６】
本発明のいくつかの実施の形態においては、ネットワーク・パラメータが決定され得る。ネットワーク・パラメータは休止持続期間値、覚醒持続期間値、休止サイクル持続期間値又は電源断・遅延期間値を決定するのに用いられ得る。車両通信装置は覚醒持続期間値に基づいて、覚醒状態に置かれ得る。車両通信装置は休止サイクル持続期間値の持続期間にわたり休止サイクルに置かれ得る。車両通信装置は電源断・遅延期間経過後に、休止サイクルに置かれ得る。
【００１７】
本発明の別の態様は、無線通信システムを用いて移動車両にアクセスするための、コンピュータ利用可能媒体におけるコンピュータ・プログラム製品を提供する。さらに本発明の別の態様は、移動車両アクセス・システムを提供する。
【００１８】
本発明に係る製品及びシステムは、車両通信装置の少なくとも１つの伝送電力パラメータを決定する手段と、該伝送電力パラメータに基づいて少なくとも１つの休止持続期間値を計算する手段と、該休止持続期間値に基づいて車両通信装置を静止状態に置く手段とを備える。製品及びシステムは更に、伝送電力パラメータに基づいて少なくとも１つの覚醒持続期間値を計算する手段と、該覚醒持続期間値に基づいて車両通信装置を覚醒状態に置く手段とを備える。製品及びシステムはまた、伝送電力パラメータに基づいて少なくとも１つの休止サイクル持続期間値を計算する手段と、車両通信装置を該休止サイクル持続期間値に対する休止サイクルに置く手段とを備える。製品及びシステムは更に、休止サイクルが連続的であるか否かを決定する手段を備える。
【００１９】
本発明のいくつかの実施の形態においては、製品及びシステムは伝送電力パラメータに基づいて少なくとも１つの電源断・遅延期間値を計算する手段と、該電源断・遅延期間経過後に該車両通信装置を休止サイクルに置く手段とを備える。
【００２０】
本発明に係る製品及びシステムは、少なくとも１つの登録パラメータを決定する手段を備える。登録パラメータに基づいて少なくとも１つの覚醒持続期間値を計算する手段と、該覚醒持続期間値に基づいて車両通信装置を覚醒状態に置く手段ばかりでなく、登録パラメータに基づいて少なくとも１つの休止持続期間値を計算する手段も提供される。
【００２１】
加えて、本発明に係る製品及びシステムは、登録パラメータに基づいて少なくとも１つの休止サイクル持続期間値を計算する手段と、車両通信装置を該休止サイクル持続期間値に対する休止サイクルに置く手段とを備える。本発明に係る製品及びシステムは、登録パラメータに基づいて少なくとも１つの電源断・遅延期間値を計算する手段と、該電源断・遅延期間経過後に車両通信装置を休止サイクルに置く手段とを備える。
【００２２】
本発明のいくつかの実施の形態においては、本発明に係る製品及びシステムは、少なくとも１つのネットワーク・パラメータを決定する手段を提供する。ネットワーク・パラメータに基づいて少なくとも１つの覚醒持続期間値を計算する手段と、該覚醒持続期間値に基づいて車両通信装置を覚醒状態に置く手段ばかりでなく、ネットワーク・パラメータに基づいて少なくとも１つの休止持続期間値を計算する手段も提供される。ネットワーク・パラメータに基づいて少なくとも１つの休止サイクル持続期間値を計算する手段と、車両通信装置を該休止サイクル持続期間値に対する休止サイクルに置く手段も提供され得る。
【００２３】
加えて、本発明に係る製品及びシステムは、ネットワーク・パラメータに基づいて少なくとも１つの電源断・遅延期間値を計算する手段と、該電源断・遅延期間経過後に車両通信装置を休止サイクルに置く手段とを提供する。
【００２４】
本発明の前述の及びその他の特徴と利点は、添付の図面と組み合わせて読まれる下記の現在好ましい実施の形態の詳細な説明から更に明らかになる。詳細な説明及び図面は、特許請求の範囲及びそれに相当するものから定義される本発明の範囲を限定するものではなく、単に本発明の実例となるものである。
【００２５】
【発明の実施の形態】
図１は、１００において、本発明に従って、無線通信システムを利用して静止状態の移動車両にアクセスするためのシステムの１つの実施の形態の図を示している。
【００２６】
移動車両アクセス・システム１００は、１つ又はそれ以上の移動車両１１０、１つ又はそれ以上の無線搬送システム１２０、１つ又はそれ以上の通信ネットワーク１３０、１つ又はそれ以上のショート・メッセージ・サービス・センタ１３２、１つ又はそれ以上の陸上ネットワーク１４０及び１つ又はそれ以上のコール・センタ１５０を含み得る。コール・センタ１５０は、１つ又はそれ以上のスイッチ１５１、１つ又はそれ以上のデータ伝送装置１５２、１つ又はそれ以上の通信サービス・マネージャ１５３、１つ又はそれ以上の通信サービス・データベース１５４、１つ又はそれ以上のアドバイザ１５５及び１つ又はそれ以上のバス・システム１５６を含み得る。
【００２７】
移動車両１１０は、データ通信を送受信するのに適切なハードウェア及びソフトウェアを備えたアナログ又はデジタルの電話のような無線車両通信装置を含み得る。移動車両１１０はデータを送受信するための無線モデムを含み得る。移動車両１１０は、移動車両との通信を可能にし、他のルーチンや要求されたサービスを実行する、ソフトウェア及び追加のハードウェアを備えたデジタル信号処理装置を含み得る。移動車両１１０は、同期された時刻及び移動車両の地理的な位置を決定することができる全世界測位システム（ＧＰＳ）ユニットを含み得る。移動車両１１０は、無線搬送システム１２０と無線伝送を送受信し得る。
【００２８】
無線搬送システム１２０は、無線通信搬送手段でもよい。無線搬送システム１２０は例えば移動電話システムでもよい。移動電話システムは、公称８００メガ・ヘルツの規定された帯域で動作するアナログ移動電話システムでもよい。移動電話システムは、公称８００メガ・ヘルツ、９００メガ・ヘルツ、１９００メガ・ヘルツの規定された帯域、又は移動通信を伝送することができる適切な帯域で動作するデジタル移動電話でもよい。無線搬送システム１２０は移動車両１１０と信号を送受信し得る。無線搬送システム１２０は、別の移動車両１１０と信号を送受信し得る。無線搬送システム１２０は、通信ネットワーク１３０と接続され得る。
【００２９】
通信ネットワーク１３０は、移動交換センタを備え得る。通信ネットワーク１３０は、１つ又はそれ以上の無線通信会社によるサービスを備え得る。通信ネットワーク１３０は、無線搬送システム１２０を別の移動車両１１０又はコール・センタに接続するのに適したシステムまたはシステムの集合でもよい。
【００３０】
通信ネットワーク１３０は１つ又はそれ以上のショート・メッセージ・サービス・センタ１３２を含み得る。ショート・メッセージ・サービス・センタ１３２は、移動車両１１０と送受する英数字のショート・メッセージを規定し得る。ショート・メッセージ・サービス・センタ１３２は、メッセージ入力特性、管理上の制御及びメッセージ伝送能力を備え得る。ショート・メッセージ・サービス・センタ１３２は、メッセージを蓄積してバッファとして働き得る。ショート・メッセージ・サービスは無線器呼び出し、テキスト・メッセージ送受信及びメッセージ待機通知といった機能的サービスを含み得る。ショート・メッセージ・サービスはブロードキャスト・サービス、時刻駆動型メッセージ配信、自律メッセージ配信及びデータベース駆動型情報サービスといったその他のテレマティクス・サービスを含み得る。テレマティクス・サービスはさらに、メッセージ優先度、サービス・カテゴリ、有効期限、キャンセル及びステータス・チェックのようなメッセージ管理特性を備え得る。
【００３１】
陸上ネットワーク１４０は公衆電話交換網でもよい。陸上ネットワーク１４０は有線ネットワーク、光ネットワーク、ファイバ・ネットワーク、無線ネットワーク又はそれらの組み合わせにより構成され得る。陸上ネットワーク１４０はインターネット・プロトコル（ＩＰ）・ネットワークを含み得る。陸上ネットワーク１４０は、通信ネットワーク１３０をコール・センタへ接続し得る。
【００３２】
陸上ネットワーク１４０は第一の無線搬送システム１２０を第二の無線搬送システム１２０に接続し得る。通信ネットワーク１３０と陸上ネットワーク１４０は、無線搬送システム１２０を通信ノードまたはコール・センタ１５０へ接続し得る。
【００３３】
コール・センタ１５０は多数のコールが同時に着信されサービスされ得る場所、又は多くのコールが同時に発信され得る場所であり得る。コール・センタは、移動車両１１０との通信を規定するテレマティクス・コール・センタでもよい。コール・センタは、コール・センタのアドバイザと移動車両内の加入者との間の音声通信を提供する音声コール・センタでもよい。コール・センタはこれらの機能のいずれを含んでもよい。
【００３４】
コール・センタはスイッチ１５１を含み得る。スイッチ１５１は、陸上ネットワーク１４０に接続され、アナログ・モデム又はデジタル・モデムからのモデム信号を受信し得る。スイッチ１５１は通信ノードからの音声又はデータ伝送を送信し得る。スイッチ１５１はまた、無線搬送システム１２０、通信ネットワーク１３０及び陸上ネットワーク１４０を介した、移動車両１１０からの音声又はデータ伝送を受信し得る。スイッチ１５１は、データ伝送装置１５２ともデータ伝送を送受信し得る。スイッチ１５１は、バス・システム１５６を介してアドバイザ１５５とも音声伝送を送受信し得る。
【００３５】
データ伝送装置１５２は、スイッチ１５１とデータを送受信し得る。データ伝送装置１５２は、ＩＰルータ又はモデムでもよい。データ伝送装置１５２は、アドバイザ１５５、１つ又はそれ以上の通信サービス・マネージャ１５３、１つ又はそれ以上の通信サービス・データベース１５４、及びバス・システム１５６に接続された他の任意のデバイスとの間でデータを転送し得る。データ伝送装置１５２は、通信ネットワーク１３０内のショート・メッセージ・サービス・センタ１３２から受信した情報を、通信サービス・マネージャ１５３へ伝達し得る。
【００３６】
通信サービス・マネージャ１５３は、バス・システム１５６を介してスイッチ１５１、データ伝送装置１５２及びアドバイザ１５５と接続し得る。コール・センタは、コール・センタ１５０と移動車両１１０との間のデータ伝送を可能にするハードウェア又はソフトウェアの任意の組合わせを含み得る。
【００３７】
通信サービス・マネージャ１５３は、無線搬送システム１２０、通信ネットワーク１３０内のショート・メッセージ・サービス・センタ１３２、陸上ネットワーク１４０及びデータ伝送装置１５２を介して、移動車両１１０からの情報を受信し得る。通信サービス・マネージャ１５３は、データ伝送装置１５２、陸上ネットワーク１４０、通信ネットワーク１３０及び無線搬送システム１２０を介して、移動車両１１０へ情報を送信し得る。通信サービス・マネージャ１５３は、ショート・メッセージ・サービス・センタ１３２経由で移動車両にショート・メッセージ・サービス・メッセージを送信し得る。通信サービス・マネージャ１５３は、ショート・メッセージ・サービス・センタ１３２経由で移動車両からショート・メッセージ・サービス応答を受信し得る。通信サービス・マネージャ１５３は、移動車両１１０にショート・メッセージ・サービス要求を送信し得る。
【００３８】
通信サービス・データベース１５４は、１つ又はそれ以上の移動車両１１０についての記録を含み得る。通信サービス・データベース１５４の一部は、ショート・メッセージ・サービスのために供され得る。通信サービス・データベース１５４内の記録には、移動車両１１０に関する車両の識別情報、位置情報、ステータス情報及び最近の活動情報が含まれ得る。通信サービス・データベース１５４は、通信サービス・マネージャ１５３に情報及びその他のサポートを提供し得る。
【００３９】
アドバイザ１５５は実在のアドバイザでも架空のアドバイザでもよい。実在のアドバイザは、移動通信装置１１０と言葉で通信する人間でもよい。架空のアドバイザは、移動通信装置１１０からの要求に応答する合成音声インタフェースでもよい。アドバイザ１５５は移動通信装置１１０にサービスを提供し得る。アドバイザ１５５は通信サービス・マネージャ１５３、又はバス・システム１５６に接続された任意の他の装置と通信し得る。
【００４０】
図２は、２００において、本発明に従って静止状態の移動車両において休止サイクル中に使われる値を動的に決定する方法の１つの実施の形態を示している。
図２の方法は、例えば、車両がデジタル通信サービスを利用できる場合に、不連続受信（ＤＲｘ）休止サイクルを達成するために利用され得る。本発明のいくつかの実施の形態においては、データ通信を送受信するのに適切なハードウェア又はソフトウェアを備えたアナログ又はデジタル電話機のような無線車両通信装置を経由して、１つ又は複数の通信サービスが移動車両１１０に対して利用可能になる。移動車両１１０はまた、データを送受信するための無線モデムを含み得る。移動車両１１０はさらに、移動車両との通信を可能とし、他のルーチン及び要求されたサービスを実行するソフトウェア及び追加のハードウェアを備えたデジタル信号処理装置を含み得る。移動車両１１０は、同期された時刻及び移動車両の地理的な位置を決定することができる全世界測位システム（ＧＰＳ）・ユニットを備え得る。
【００４１】
ブロック２００に見られるように、本発明のサイクルは車両のイグニッションがオフになるとすぐに開始され得る。本発明のいくつかの実施の形態においては、車両のイグニッションがオフであるとしても、車両通信装置は未だ完全に電源が切られてはいない。
【００４２】
ブロック２０２において、車両通信装置に対して要求される伝送電力パラメータが決定され、記録され得る。例えば、特定の期間中に無線信号を伝送するために、車両通信装置に対して要求される伝送電力量が決定され、及び／又は記録され得る。本技術分野において、無線装置の伝送電力レベルを測定するいつくかの方法が知られている。発明の１つの実施形態においては、例えば、この伝送電力レベル測定はＣＤＭＡ測定である。伝送電力レベル測定は例えば、ブロック２０２の期間において車両通信装置が伝送を試みる際に測定され得る。伝送電力レベル測定の値は、一度決定されると、本発明に従った後の利用のために、車両通信装置に蓄積され得る。
【００４３】
典型的には、要求される伝送電力パラメータは、車両通信装置がどのネットワークに接触を試みているかにより変わり得る。例えば、近くのネットワークは、登録試行の伝送のために、遠くのネットワークより低い電力レベルを必要とし得る。代わりに、より強力な無線事業者は、より弱い無線事業者に比べ、より低い電力レベルで送信された伝送を受信することができる。
【００４４】
ブロック２０４において、車両通信装置に対する登録パラメータが決定され記録され得る。車両通信装置に対する登録パラメータには、例えば、車両通信装置が無線搬送システム１２０を介して通信ネットワーク１３０、１４０に登録を試みた回数が含まれ得る。登録パラメータの計算には、特定の通信ネットワーク１３０、１４０への登録に要求される、上記２０２で決定された電力レベルも考慮される。典型的には、これらの登録パラメータは、無線ネットワークごとに変わり得る。例えば、あるネットワークは１０分ごとに登録試行（例えば１時間に６回の登録試行）を要求し得るが、それは５分ごとに登録試行（例えば１時間に１２回の登録試行）を要求するネットワークより少ない電力利用を要求するということである。
【００４５】
無線装置の登録試行において利用される伝送電力レベルを測定するためのいくつかの方法が、本技術分野において知られている。所与の期間内に特定の装置により行われた登録試行の回数を記録するためにも、本技術分野において、いくつかの方法が知られている。上記で論じられた登録パラメータは、例えば、車両通信装置がブロック２０２の期間に１つ又はそれ以上の登録試行を行う際に、測定され得る。様々な登録パラメータの値は、一度決定されると、本発明に従った後の利用のために、車両通信装置に蓄積され得る。
【００４６】
ブロック２０６において、他の任意のネットワーク・パラメータが決定され記録され得る。例えば、本発明のいくつかの実施の形態は、ＣＤＭＡ技術を利用し得る。そのような実施の形態においては、車両通信装置がスロット制御指標（ＳＣＩ）を利用するか否かが決定され得る。車両通信装置がＳＣＩを利用する場合、ＳＣＩを利用するために車両通信装置が必要とする電力量が決定され、本発明に従った後の利用のために記録され得る。発明の他の実施の形態においては、車両通信装置がクイック・ページング・チャネル（ｑｕｉｃｋ　　ｐａｇｉｎｇ　　ｃｈａｎｎｅｌ）（ＱＰＣ）の特徴を利用するかどうかが決定され得る。車両通信装置がＱＰＣの特徴を利用する場合、ＱＰＣの特徴を利用するために必要とされる電力量が決定され、本発明に従った後の利用のために記録され得る。本技術分野に精通した者には明らかであるように、車両通信装置により無線通信に利用される任意の他の機能もまた、そのような機能により利用される電力量と同様に、本発明に従って決定され得る。例えば、電力消費に作用するデータ、その他の電力に関連するデータ及び任意の適切なネットワーク関連パラメータが決定され、このデータから適切な値が本発明に従って動的に計算され得る。それらの電力値には例えば、車両通信装置がそれ自体の電源、すなわち車両通信装置が接続されている車両（車両の電力システム）から利用可能な電力が含まれ得る。電力値にはまた、所与の車両通信装置を動作させるために要求される電力が含まれ得る。
【００４７】
ブロック２０８に見られるように、電源断・遅延期間のために第一の値が決定され得る。電源断・遅延期間の値は、本発明に従った任意の適切な回数だけ動的に計算及び再計算され得る。この電源断・遅延期間値は、本技術分野で知られている任意の適切な方法を利用して決定され得る。本発明に従って、適切なアルゴリズムが電源断・遅延期間を決定し得る。このアルゴリズムは、ブロック２０２で記録された伝送電力パラメータ、ブロック２０４で記録された登録パラメータ、ブロック２０６で記録された他のネットワーク・パラメータ又はブロック２０２、２０４、２０６で集められた値の任意の適切な組み合わせに基づいて、電源断・遅延期間を計算してもよい。代わりに、電源断・遅延期間を決定するアルゴリズムは、ブロック２１２においてＤＲｘ休止持続期間のために得られた値、ブロック２１４において覚醒持続期間のために得られた値、ブロック２１６においてＤＲｘサイクル持続期間のために得られた値又はブロック２１２、２１４、２１６において得られた値の任意の適切な組合わせに基づいてもよい。代わりに、電源断・遅延期間は、移動車両又は車両通信装置の仕様に基づいて前もってセットされてもよい（例えば、それらの値は車両が組み立てられる時に、前もってセットされ得る）。代わりに、移動車両のユーザ又は車両の通信装置が電源断・遅延期間の値をセットしてもよい。
【００４８】
ブロック２１０において、車両通信装置が実際に電源断になる前に、電源断・遅延期間が経過させられ得る。上記で論じられたように、電源断・遅延期間の値は、任意の適切な時間値であり得る。例えば、本発明の１つの実施の形態においては、電源断・遅延期間は１０分でもよい。この電源断・遅延期間は、車両通信装置が電源断になるまでの予め決められた時間であり得る。電源断・遅延期間は、イグニッショがオフになった直後に加入者が車両通信装置を利用することを可能にする。加入者が車両の中に鍵を入れたまま施錠してしまい、車両を開錠するためにテレマティクスを利用したいような場合がその例にあたり得る。電源断・遅延期間はイグニッションがオフにされた直後の期間にテレマティクス・サービスを配信することを可能とするため、加入者は休止期間中ずっと、覚醒期間が始まるまで待つ必要がない。
【００４９】
本発明の１つの実施の形態においては、ブロック２１２、２１４及び２１６でなされた決定が、ブロック２１０において電源断・遅延期間が経過する間になされ得る。
【００５０】
ブロック２１２に見られるように、休止持続期間のに対する値が決定され得る。休止持続期間の値は、本発明に従って任意の適切な回数だけ動的に計算及び再計算され得る。休止持続期間の値は、本技術分野において知られた任意の適切な方法によって決定され得る。本発明に従って、適切なアルゴリズムが休止持続期間値を決定し得る。このアルゴリズムは、ブロック２０２において記録された伝送電力レベル、ブロック２０４において記録された登録パラメータ、ブロック２０６において記録された他の電力値又はブロック２０２、２０４、２０６において集められた値の任意の適切な組合わせに基づいて、休止持続期間値を計算し得る。代わりに、休止持続期間値を決定するアルゴリズムは、ブロック２１４において覚醒持続期間のために得られた値、ブロック２１６においてＤＲｘサイクル持続期間のために得られた値、ブロック２０８において電源断・遅延期間のために得られた値又はブロック２０８、２１４、２１６において得られた値の任意の適切な組合わせに基づいてもよい。休止持続期間は、移動車両又は車両通信装置の仕様に基づいて前もってセットされてもよい（例えば、それらの値は車両が組み立てられる時に、前もってセットされ得る）。代わりに、移動車両のユーザ又は車両の通信装置が休止持続期間の値をセットしてもよい。
【００５１】
ブロック２１４に見られるように、覚醒持続期間に対する値が決定され得る。覚醒持続期間の値は、本発明に従って任意の適切な回数だけ動的に計算及び再計算され得る。覚醒持続期間の値は、本技術分野において知られた任意の適切な方法によって決定され得る。本発明に従って、適切なアルゴリズムが覚醒持続期間値を決定し得る。このアルゴリズムは、ブロック２０２において記録された伝送電力レベル、ブロック２０４において記録された登録パラメータ、ブロック２０６において記録された他の電力値又はブロック２０２、２０４、２０６において集められた値の任意の適切な組合わせに基づいて、覚醒持続期間値を計算し得る。代わりに、覚醒持続期間値を決定するアルゴリズムは、ブロック２１２においてＤＲｘ休止持続期間のために得られた値、ブロック２１６においてＤＲｘサイクル持続期間のために得られた値、ブロック２０８において電源断・遅延期間のために得られた値又はブロック２０８、２１２、２１６において得られた値の任意の適切な組合わせに基づいてもよい。代わりに、覚醒持続期間は、移動車両又は車両通信装置の仕様に基づいて前もってセットされてもよい（例えば、それらの値は車両が組み立てられる時に、前もってセットされ得る）。代わりに、移動車両のユーザ又は車両の通信装置が覚醒持続期間の値をセットしてもよい。
【００５２】
ブロック２１６に見られるように、ＤＲｘサイクル持続期間に対する値が決定され得る。ＤＲｘサイクル持続期間の値は、本発明に従って任意の適切な回数だけ動的に計算及び再計算され得る。ＤＲｘサイクル持続期間の値は、本技術分野において知られた任意の適切な方法によって決定され得る。本発明に従って、適切なアルゴリズムがＤＲｘサイクル持続期間値を決定し得る。このアルゴリズムは、ブロック２０２において記録された伝送電力レベル、ブロック２０４において記録された登録パラメータ、ブロック２０６において記録された他の電力値又はブロック２０２、２０４、２０６において集められた値の任意の適切な組合わせに基づいて、ＤＲｘサイクル持続期間値を計算し得る。代わりに、ＤＲｘサイクル持続期間値を決定するアルゴリズムは、ブロック２１２においてＤＲｘ休止持続期間のために得られた値、ブロック２１４において覚醒持続期間のために得られた値、ブロック２１６において電源断・遅延期間のために得られた値又はブロック２０２、２１４、２１６において得られた値の任意の適切な組合わせに基づいてもよい。代わりに、ＤＲｘサイクル持続期間は、移動車両又は車両通信装置の仕様に基づいて前もってセットされてもよい（例えば、それらの値は車両が組み立てられる時に、前もってセットされ得る）。代わりに、移動車両のユーザ又は車両の通信装置がＤＲｘサイクル持続期間値をセットしてもよい。
【００５３】
ブロック２１８において、ＤＲｘサイクルが周期的な休止サイクルであるか、連続的な休止サイクルであるかが決定され得る。周期的と連続的の２つの休止サイクル種別しか記述されていないが、特定の車両通信装置によって利用される休止サイクルは、本技術分野において知られた任意の適切な休止サイクル種別でもよい。休止サイクル種別は、移動車両又は車両通信装置の仕様に基づいて前もってセットされてもよい（例えば、種別は車両が組み立てられる時に、前もってセットされ得る）。代わりに、移動車両のユーザ又は車両の通信装置が車両により利用される休止サイクルの種別をセットしてもよい。代わりに、上記で決定された値が、ＤＲｘサイクルが周期的であるべきか、連続的であるべきかを決定するために用いられ得る。例えば、ブロック２０２で記録された伝送電力レベル、ブロック２０４で記録された登録パラメータ又はブロック２０６で記録された他の電力値が、周期的休止サイクルが車両の電力要求に最も適していることを示している場合、ＤＲｘサイクルは連続的である。代わりに、休止サイクル種別の決定は、ブロック２１２においてＤＲｘ休止持続期間のために得られた値、ブロック２１４において覚醒持続期間のために得られた値、ブロック２１６において電源断・遅延期間のために得られた値又はブロック２１２、２１４、２１６において得られた値の任意の適切な組合わせに基いてもよい。
【００５４】
休止サイクルが連続的である場合、ルーチンは図３に示されるブロック３００に続き得る。
代わりに、ブロック２１８において休止サイクルが周期的なものと決定された場合、車両通信装置は図４内の４００に記述されたサブ・ルーチンに続き得る。
【００５５】
図３は、３００において、本発明に従って静止状態の移動車両において不連続受信期間を動的に決定する方法の、サブルーチンの１つの実施の形態を示している。図３のサブルーチンは、例えば、不連続受信休止期間が連続的な期間である場合に用いられ得る。
【００５６】
上記のように、ＤＲｘサイクルの１つの構成要素はデジタル覚醒期間でもよい。ブロック３０２に見られるように、一度車両通信装置が覚醒すると、デジタル覚醒期間が開始し、所与の覚醒持続期間にわたり継続する。車両通信装置は覚醒期間の覚醒持続期間中、通信サービスを受信することができる。
【００５７】
覚醒持続期間の値は、任意の適切な時間値を取り得る。例えば、本発明の１つの実施の形態においては、覚醒持続期間は１日でもよい。代わりに、覚醒持続期間は１分から１０分まで、３分から７分まで又は４分から６分までの任意の値でもよい。この覚醒持続期間は、ＤＲｘサイクルの間において、車両通信装置が休止期間に入るまでの予め決められた時間であり得る。代わりに、覚醒持続期間は、車両通信装置が完全に電源断の状態になるまでの予め決められた時間であってもよい。
【００５８】
車両通信装置が覚醒期間の持続期間、覚醒しているため、車両１１０は上記に記載された１つ又はそれ以上の通信サービスを入手し得る。覚醒期間は、車両のイグニッションがオフになった後も、加入者が車両通信装置を利用することを可能にする。覚醒期間は、車両が電源断の状態であるとしても、テレマティクス・サービスの配信を可能にする。加入者が車両の中に鍵を入れたまま施錠してしまい、車両を開錠するためにテレマティクスを利用したいような場合がその例にあたり得る。本発明に従って、車両通信装置が覚醒持続期間にわたって覚醒しているため、車両１１０の車両通信装置はブロック３０４において登録試行を記録することができる。
【００５９】
ブロック３０４に見られるように、車両通信装置の登録パラメータは再度測定され記録され得る。これらはブロック２０４において最初に記録された登録パラメータと同一であり得る。ブロック３０４において決定された登録パラメータ値は、ネットワーク・パラメータ及び車両通信装置の活動によって、ブロック２０４において決定された値と同一であっても異なってもよい。車両通信装置の登録パラメータは例えば、覚醒持続期間中に車両通信装置が無線搬送システム１２０を経由して通信ネットワーク１３０、１４０に登録を試みた回数を含み得る。所与の期間内に特定の装置により行われた登録試行の回数を記録するために、本技術分野において知られた任意の適切な方法が利用され得る。
【００６０】
ブロック３０６に見られるように、ブロック３０４においてなされる登録試行のために必要な電力が決定され得る。無線装置による１つ又はそれ以上の登録要求に利用される伝送電力レベルを測定するため、本技術分野において、いつくかの方法が知られている。典型的には、ブロック３０６で決定される値は、車両通信装置がどのネットワークに接触を試みているかにより変わり得る。例えば、近くのネットワークは、登録試行の伝送のために、遠くのネットワークより低い電力レベルを要求し得る。あるネットワークは１０分ごとに登録試行（例えば１時間に６回の登録試行）を要求し得るが、それは５分ごとに登録試行（例えば１時間に１２回の登録試行）を要求するネットワークより多くの電力利用を要求するということである。
【００６１】
様々な登録パラメータの値は、一度決定されると、本発明に従って、後の利用のために車両通信装置により蓄積され得る。
ブロック３０７に見られるように、ＤＲｘサイクル持続期間値は再計算され得る。上記のブロック２１６において記述されたように、ＤＲｘサイクル持続期間の値は、本発明に従った任意の適切な回数だけ動的に計算及び再計算され得る。従って、ブロック３０７において決定されたＤＲｘサイクル持続期間の値は、ネットワーク状態及び車両通信装置の活動によって、ブロック２１６において決定された値と同一であっても異なってもよい。ＤＲｘサイクル持続期間の値は、本技術分野で知られている任意の適切な方法を利用して決定され得る。本発明に従って、適切なアルゴリズムがＤＲｘサイクル持続期間値を決定し得る。このアルゴリズムは、ブロック２０２で記録された伝送電力レベル、ブロック２０４で記録された登録パラメータ、ブロック２０６で記録された他の電力値又はブロック２０２、２０４、２０６で集められた値の任意の適切な組み合わせに基づいて、ＤＲｘサイクル持続期間値を再計算してもよい。代わりに、ＤＲｘサイクル持続期間値は、ブロック２１２においてＤＲｘ休止持続期間のために得られた値、ブロック２１４において覚醒持続期間のために得られた値、ブロック２１６において電源断・遅延期間のために得られた値又はブロック２１２、２１４、２１６において得られた値の任意の適切な組合わせに基づいて再計算されてもよい。代わりに、ＤＲｘサイクル持続期間値は、ブロック３０４において得られた値のみ、またはブロック２０２、２０４、２０６、２１２、２１４、２１６において決定された１つ又はそれ以上の値との組合わせに基づいて再計算されてもよい。
【００６２】
ブロック３０８において、ＤＲｘサイクルが連続的であり続けるべきか否かが決定され得る。本発明に従い、車両がＤＲｘサイクル・モードにある間に動的に集められたデータに基づいて、この決定がなされ得る。すなわち、ブロック２０２、２０４、２０６において集められた最初の電力値が、ブロック２１２における休止期間、ブロック２１４における覚醒期間、ブロック２１６におけるＤＲｘサイクル持続期間及びブロック２１６における電源断・遅延期間のために計算された値を生じる。ブロック３０６において新しい電力値が集められ、ブロック３０７において新しい値が計算され得る。図３に示された実施の形態においては、例えば、他の値も再計算され得るとはいえ、ＤＲｘサイクル持続期間が再計算される。これらの再計算された値は、ＤＲｘサイクルが連続的であり続けるべきか否かを決定するために用いられ得る。
【００６３】
従って、例えばブロック２１６において、車両のイグニッションがオフになっていたときに集められた電力データに基づいて、全ＤＲｘサイクルが７２時間という持続期間にわたって持続することができるか否かが決定され得る。しかし、ブロック３０６において、車両通信装置がブロック３０２において始められた覚醒期間に一層多くの電力を利用することが決定され得る。例えば、車両通信装置がより多くの登録試行回数を要求するネットワークに接触を試みている（従って、ブロック３０４において、ブロック２０４において始めに記録されたよりも多くの回数の試行が記録される）。
【００６４】
この新しいデータに基づき、ＤＲｘサイクルが、２時間ごとに休止期間に入る周期的サイクルになった場合に７２時間という持続期間にわたって持続することができるだけかどうかが判断され得る。そのような決定がなされた場合、本発明のルーチンはブロック４００に進み得る。代わりに、ＤＲｘサイクル持続期間値を５２時間に調整しさえすれば、ＤＲｘサイクルを連続的なままにしておくことが決定され得る。そのような場合、本発明のルーチンはブロック３１０に進み得る。ここでは２つのシナリオが記述されたが、本発明に従って動的に集められたネットワーク・データに基づいたＤＲｘサイクル値の無数の調整がなされ得る。上記に開示されたＤＲｘサイクル値の調整例は、実例を表すものである。休止期間の持続期間、覚醒期間の持続期間、電源断・遅延期間値及びＤＲｘサイクル持続期間値の変更を含むＤＲｘサイクル値の様々な変更及び修正は、本発明の意図及び範囲から逸脱することなくなされ得る。
【００６５】
ブロック３１０において、ＤＲｘサイクル持続期間が経過したかどうかが判断され得る。ＤＲｘサイクル持続期間がまだ経過していない場合、車両通信装置はブロック３０２に戻り、覚醒期間の持続期間にわたって覚醒し続け得る。ＤＲｘサイクル持続期間が終わるべきか否かの決定もまた、ブロック２０２、２０４、２０６、２０８、２１２、２１４、２１６、３０４において決定された値の影響を受け得る。例えば、ブロック２１６において、車両のイグニッションがオフになっているときに集められた電力データに基づいて、ＤＲｘサイクル全体が７２時間の連続する持続期間にわたって持続することが可能であることが判断され得る。しかし、ブロック３０６において、車両通信装置がブロック３０２において始まった覚醒期間において、より少ない電力しか利用しないことが決定され得る。例えば、車両通信装置はより少ない登録試行回数を要求するネットワークに接触を試みている（従って、ブロック３０４において、ブロック２０４において始めに記録されたよりも少ない回数の試行が記録される）。
【００６６】
この新しいデータに基づいて、ＤＲｘサイクルが７６時間の持続期間にわたって持続することが決定されてもよい。従って、ブロック３１０において当初の７２時間が経過したとしても、ブロック３０４、３０６から値が動的に再計算されるので、ＤＲｘサイクルは未だ終了しなくてもよい。
【００６７】
代わりに、ブロック３１０において休止サイクル持続期間が経過したことが決定された場合、車両通信装置はブロック３１２で示されるように電源断とされ得る。
【００６８】
図４は、４００において、本発明に従って静止状態の移動車両において動的に不連続受信期間を決定する方法のサブルーチンの他の実施の形態を示している。図４のサブルーチンは、例えば、不連続受信休止期間が周期的期間である場合に使用され得る。
【００６９】
従って、一度ブロック２１０の電源断・遅延期間が経過すると、車両１１０の車両通信装置は、ブロック２１６において決定されたＤＲｘサイクル持続期間のようなＤＲｘサイクル持続期間にわたって持続するデジタル不連続受信（ＤＲｘ）休止サイクルに入り得る。ＤＲｘサイクル持続期間の値は、任意の適切な時間値であり得る。例えば、本発明の１つの実施の形態においては、ＤＲｘサイクル持続期間は２日でもよい。このＤＲｘサイクル持続期間は、車両通信装置が完全に電源断になるまでの予め決められた時間であり得る。
【００７０】
このＤＲｘサイクルは、特定の持続期間（覚醒持続期間）を持つ覚醒期間と、やはり独自の持続期間（休止持続期間）を持つ休止期間とを含み得る。車両通信装置は覚醒期間において通信サービスを受信するよう動作可能とされるが、休止期間において通信サービスを受信するよう動作可能にはされない。図４の実施の形態において、ＤＲｘサイクルは周期的（覚醒期間と休止期間のいくつかのサイクルから成る）である。
【００７１】
ブロック４０１に見られるように、車両通信装置は所与の休止持続期間にわたって持続する休止期間に入ることによって、ＤＲｘサイクルに入り得る。車両通信装置は休止期間の持続期間において、通信サービスを受信することができない。
【００７２】
休止持続期間の値は、任意の適切な時間値であり得る。例えば、本発明の１つの実施の形態においては、休止持続期間は１日でもよい。代わりに、休止持続期間は１分から１０分まで、３分から７分まで、又は４分から６分までの任意の値でもよい。この休止持続期間は、電流消耗を改善するために車両通信装置が電源断にされるときの、ＤＲｘサイクルの期間における予め決められた時間であり得る。
【００７３】
ブロック４０２で見られるように、車両通信装置は休止持続期間の経過後に覚醒し得る。一度車両通信装置が覚醒すると、デジタル覚醒期間が開始し、所与の覚醒持続期間にわたり持続する。車両通信装置は、覚醒期間の覚醒持続期間、通信サービスを受信することができる。
【００７４】
覚醒持続期間の値は任意の適切な時間値であり得る。例えば、本発明の１つの実施の形態においては、覚醒持続期間は１日でもよい。代わりに、覚醒持続期間は１分から１０分まで、３分から７分まで、又は４分から６分までの任意の値でもよい。この覚醒持続期間はＤＲｘサイクルの期間において、車両通信装置が休止期間に入るまでの予め決められた時間であり得る。
【００７５】
車両通信装置が覚醒期間の持続期間に覚醒している間、車両１１０は上記に記述されたように１つ又それ以上の通信サービスを入手し得る。覚醒期間は、車両のイグニッションがオフになった後でも、加入者が車両通信装置を利用することを可能にし得る。覚醒期間は、車両が電源断となっていたとしても、テレマティクス・サービスの配信を可能にする。加入者が車両の中に鍵を入れたまま施錠してしまい、車両を開錠するためにテレマティクスを利用したいような場合がその例にあたり得る。本発明に従って、ブロック４０４において、車両１１０の車両通信装置は、登録試行回数のような登録パラメータを決定し得る。
【００７６】
ブロック４０４において、車両通信装置の登録パラメータは再度測定され、記録され得る。車両通信装置の登録パラメータには、例えば、車両通信装置が覚醒持続期間に無線搬送システム１２０を経由して通信ネットワーク１３０、１４０に登録を試みた回数が含まれ得る。所与の期間内に特定の装置により行われた登録試行の回数を記録するために、本技術分野において知られた任意の適切な方法が利用され得る。
【００７７】
ブロック４０６において、ブロック４０４においてなされた登録試行に必要とされる電力が決定され得る。無線装置の１回又は複数回の登録試行において利用される伝送電力レベルを測定するため、本技術分野において、いくつかの方法が知られている。典型的には、ブロック４０６で決定される値は、車両通信装置がどのネットワークに接触を試みているかにより変わり得る。例えば、近くのネットワークは、登録試行の伝送のために、遠くのネットワークより低い電力レベルを要求し得る。あるネットワークは１０分ごとに登録試行（例えば１時間に６回の登録試行）を要求し得るが、それは５分ごとに登録試行（例えば１時間に１２回の登録試行）を要求するネットワークより多くの電力利用を要求するということである。
【００７８】
様々な登録パラメータの値は、一度決定されると、本発明に従って、後の利用のために車両通信装置により蓄積され得る。
ブロック４０８において、休止持続期間のための新しい値が決定され得る。休止持続期間の値は、本技術分野において知られた任意の適切な方法を用いて決定され得る。本発明に従って、適切なアルゴリズムが、ブロック４０６において決定された値に基づいて、休止持続期間値を決定し得る。加えて、新たな休止持続期間値は、ブロック２０２で記録された伝送電力パラメータ、ブロック２０４で記録された登録パラメータ、ブロック２０６で記録された他の電力値又はブロック２０２、２０４、２０６で集められた値の任意の適切な組み合わせに基づいてもよい。代わりに、休止持続期間値を決定するアルゴリズムは、ブロック２１２において休止持続期間のために当初に得られた値、ブロック２１４又はブロック４１０において覚醒持続期間のために得られた値、ブロック２１６又は４１２においてＤＲｘサイクル持続期間のために得られた値、ブロック２０８において電源断・遅延期間のために得られた値又はブロック２０８、２１２、２１４、２１６、４１０、４１２において得られた値の任意の適切な組合わせに基づいてもよい。
【００７９】
ブロック４１０において、覚醒持続期間のための新しい値が決定され得る。覚醒持続期間の値は、本技術分野において知られた任意の適切な方法を用いて決定され得る。本発明に従って、適切なアルゴリズムが、ブロック４０６において決定された値に基づいて覚醒持続期間値を決定し得る。加えて、新たな覚醒持続期間値は、ブロック２０２で記録された伝送電力レベル、ブロック２０４で記録された登録パラメータ、ブロック２０６で記録された他の電力値又はブロック２０２、２０４、２０６で集められた値の任意の適切な組み合わせに基づいてもよい。代わりに、覚醒持続期間値を決定するアルゴリズムは、ブロック２１４において覚醒持続期間のために得られた値、ブロック２１２又はブロック４０８においてＤＲｘ休止期間のために得られた値、ブロック２１６又はブロック４１２においてＤＲｘサイクル持続期間のために得られた値、ブロック２０８において電源断・遅延期間のために得られた値又はブロック２０８、２１２、２１４、２１６、４０８、４１２において得られた値の任意の適切な組合わせに基づいてもよい。
【００８０】
ブロック４１２において、ＤＲｘサイクル持続期間のための新しい値が決定され得る。ＤＲｘサイクル持続期間の値は、本技術分野において知られた任意の適切な方法を用いて決定され得る。本発明に従って、適切なアルゴリズムが、ブロック４０６において決定された値に基づいてＤＲｘサイクル持続期間値を決定し得る。加えて、新たなＤＲｘサイクル持続期間値は、ブロック２０２で記録された伝送電力パラメータ、ブロック２０４で記録された登録パラメータ、ブロック２０６で記録された他の電力値又はブロック２０２、２０４、２０６で集められた値の任意の適切な組み合わせに基づいてもよい。代わりに、ＤＲｘサイクル持続期間値を決定するアルゴリズムは、ブロック２１６においてＤＲｘサイクル持続期間のために得られた値、ブロック２１２又はブロック４０８においてＤＲｘ休止期間のために得られた値、ブロック２１４又はブロック４１０において覚醒持続期間のために得られた値、ブロック２１６において電源断・遅延期間のために得られた値又はブロック２０８、２１２、２１４、２１６、４０８、４１０において得られた値の任意の適切な組合わせに基づいてもよい。
【００８１】
図４に見られるように、車両通信装置がＤＲｘサイクルにいる全期間にわたり、新しい休止サイクル値が本発明に従って動的に生成され得る。すなわち、ブロック２０２，２０４、２０６において集められた当初の電力値が、ブロック２１２における休止期間、ブロック２１４における覚醒期間、ブロック２１６におけるＤＲｘサイクル持続期間及びブロック２０８における電源断・遅延期間のために計算された値を生じる。ブロック４０８、４１０、４１２において新しい休止サイクル値が決定され、又は以前の値が再計算され得るよう、ブロック４０４において新しい電力値が集められ、ブロック４０６において新しい電力値が計算され得る。
【００８２】
従って、例えば、ブロック２１６において、車両のイグニッションがオフになっていたときに集められた電力データに基づいて、所与の車両の休止サイクルが７２時間という連続する持続期間にわたって持続することができるか否かが決定され得る。しかし、ブロック４０６において、車両通信装置がブロック４０２において始められた覚醒期間に、より少ない電力を利用することが決定され得る。例えば、車両通信装置は、時間あたり少ない数の登録試行を要求するネットワークに接触を試みている（従って、ブロック４０４において、ブロック２０４において始めに記録されたよりも少ない回数の試行が記録される）。この新しいデータに基づいて、ＤＲｘサイクルが当初の値である７２時間ではなく７４時間の持続期間にわたって持続し得ることが決定されてもよい。ここにいくつかの例が示されてはいるが、本発明に従って動的に集められた電力データに基づいて、休止サイクル値の無数の調整がなされ得る。上記に開示された休止サイクル値の調整例は、実例を表わしたものである。休止期間の持続期間、覚醒期間の持続期間、電源断・遅延期間値及び休止サイクル持続期間値の変更を含む休止サイクル値の様々な変更及び修正は、本発明の意図及び範囲から逸脱することなくなされ得る。
【００８３】
ブロック４１４において、ＤＲｘサイクル持続期間が経過したか否かが決定され得る。ＤＲｘサイクル持続期間が未だ経過していない場合、車両通信装置はブロック４０１に戻り、ブロック４０２に進んで新たな覚醒期間に入る前に新たな休止期間に入る。
【００８４】
代わりに、ブロック４１４において、休止サイクル持続期間が終了したと決定された場合には、車両通信装置はブロック４２０に示されるように電源断にされ得る。
【００８５】
ここに開示された発明の実施の形態は現在のところ好ましいと考えられているものではあるが、様々な変更及び修正が本発明の趣旨および範囲を逸脱することなくなされ得る。本発明の範囲は特許請求の範囲により示されており、均等の意味及び範囲内に入る全ての変更は、その中に含まれるものとする。
【図面の簡単な説明】
【図１】本発明に係る、無線通信システムを用いて静止状態の移動車両にアクセスするシステムの１つの実施の形態を図解したものである。
【図２】本発明に係る、静止状態の移動車両において休止サイクルの期間に用いられるべき値を動的に決定する方法の１つの実施の形態のフロー・ダイアグラムである。
【図３】図２に示された方法のサブルーチンの１つの実施の形態のフロー・ダイアグラムである。
【図４】図２に示された方法のサブルーチンの別の実施の形態のフロー・ダイアグラムである。
【図１】
2004007513.tif 000003
【図２】
2004007513.tif 000004
【図３】
2004007513.tif 000005
【図４】
2004007513.tif 000006
【外国語明細書】
2004007513.tif 000007
2004007513.tif 000008
2004007513.tif 000009
2004007513.tif 000010
2004007513.tif 000011
2004007513.tif 000012
2004007513.tif 000013
2004007513.tif 000014
2004007513.tif 000015
2004007513.tif 000016
2004007513.tif 000017
2004007513.tif 000018
2004007513.tif 000019
2004007513.tif 000020
2004007513.tif 000021
2004007513.tif 000022
2004007513.tif 000023
2004007513.tif 000024
2004007513.tif 000025
2004007513.tif 000026
2004007513.tif 000027
2004007513.tif 000028
2004007513.tif 000029
2004007513.tif 000030
2004007513.tif 000031
2004007513.tif 000032
2004007513.tif 000033
2004007513.tif 000034
2004007513.tif 000035
2004007513.tif 000036
2004007513.tif 000037
2004007513.tif 000038
2004007513.tif 000039
2004007513.tif 000040
2004007513.tif 000041
2004007513.tif 000042
2004007513.tif 000043
2004007513.tif 000044
2004007513.tif 000045
2004007513.tif 000046
2004007513.tif 000047
2004007513.tif 000048
2004007513.tif 000049
2004007513.tif 000050